(57)【要約】【課題】陰イオンの除去活性が高い陰イオン交換体を提供すること。【解決手段】周期表の２族及び７〜１２族に属する金属のイオンから選択される少なくとも１種の金属イオンと、該金属イオンに二座配位可能な有機配位子とを、金属イオン：二座配位可能な有機配位子＝１：３の組成比で含み、前記二座配位可能な有機配位子が２つの金属イオンに配位する金属錯体からなる陰イオン交換体によって上記課題を解決する。【選択図】なし【特許請求の範囲】
【請求項１】
周期表の２族及び７〜１２族に属する金属のイオンから選択される少なくとも１種の金属イオンと、該金属イオンに二座配位可能な有機配位子とを、金属イオン：二座配位可能な有機配位子＝１：３の組成比で含み、前記二座配位可能な有機配位子が２つの金属イオンに配位する金属錯体からなる陰イオン交換体。
【請求項２】
該二座配位可能な有機配位子が、少なくとも１つの窒素原子を環内に有する複素環基を少なくとも２つ有する含窒素複素環化合物である請求項１に記載の陰イオン交換体。
【請求項３】
該二座配位可能な有機配位子が、下記一般式（Ｉ）；
【化１】
2014046234.tif 000029
（式中、Ｒ２、Ｒ３及びＲ4の内１つはＲｘに対してメタ位或いはパラ位にあるＲｙであり、Ｒｙを除くＲ１、Ｒ２、Ｒ３、Ｒ４及びＲ５はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子である。Ｒｘ及びＲｙは同一または異なって下記一般式
【化２】
2014046234.tif 000030
で表される置換基であり、Ｒ６及びＲ７はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であり、Ａは下記一般式
【化３】
2014046234.tif 000031
で表されるピリジル基、
【化４】
2014046234.tif 000032
で表されるイミダゾリル基、
【化５】
2014046234.tif 000033
で表されるトリアゾリル基または
【化６】
2014046234.tif 000034
で表されるテトラゾリル基であり、Ｒ８、Ｒ９、Ｒ１０、Ｒ１１、Ｒ１２、Ｒ１３、Ｒ１４、Ｒ１５、Ｒ１６及びＲ１７はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であるか、Ｒ１３とＲ１４が一緒になって置換基を有していてもよいアルカジエニレン基を形成してもよい。）で表される二座配位可能な有機配位子である請求項１または２に記載の陰イオン交換体。
【請求項４】
該二座配位可能な有機配位子が、下記一般式（ＩＩ）；
【化７】
2014046234.tif 000035
（式中、Ｘ、Ｙ及びＺはそれぞれ同一または異なって炭素原子、窒素原子、酸素原子または硫黄原子である。Ｘ、Ｙ及びＺが炭素原子の場合にＲ１８、Ｒ１９、Ｒ２０、Ｒ２１、Ｒ２２及びＲ２３はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子である。Ｘ、Ｙ及びＺが窒素原子の場合にＲ１８、Ｒ２０及びＲ２２は水素原子であり、Ｒ１９、Ｒ２１及びＲ２３は存在しない。Ｘ、Ｙ及びＺが酸素原子または硫黄原子の場合にＲ１８、Ｒ１９、Ｒ２０、Ｒ２１、Ｒ２２及びＲ２３は存在しない。Ａ１及びＡ２は同一または異なって下記一般式
【化８】
2014046234.tif 000036
で表されるピリジル基、
【化９】
2014046234.tif 000037
で表されるイミダゾリル基、
【化１０】
2014046234.tif 000038
で表されるトリアゾリル基または
【化１１】
2014046234.tif 000039
で表されるテトラゾリル基であり、Ｒ２４、Ｒ２５、Ｒ２６、Ｒ２７、Ｒ２８、Ｒ２９、Ｒ３０、Ｒ３１、Ｒ３２及びＲ３３はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であるか、Ｒ２９とＲ３０が一緒になって置換基を有していてもよいアルカジエニレン基を形成してもよい。ｎは０〜２の整数である。）で表される二座配位可能な有機配位子である請求項１または２に記載の陰イオン交換体。
【請求項５】
硝酸イオン、硫酸イオン、炭酸イオン、炭酸水素イオン、フッ化物イオン、塩化物イオン、臭化物イオン及びヨウ化物イオンから選択される少なくとも一種の陰イオンを含む請求項１〜４のいずれか一項に記載の陰イオン交換体
【請求項６】
請求項１〜５のいずれか一項に記載の陰イオン交換体からなる陰イオン除去材。
【請求項７】
該陰イオン除去材が、過塩素酸イオン、テトラフルオロホウ酸イオン、ヘキサフルオロリン酸イオン、ヘキサフルオロヒ酸イオン、ヘキサフルオロアンチモン酸イオン、メタンスルホン酸イオン、ベンゼンスルホン酸イオン、トリフルオロ酢酸イオンまたはトリフルオロメタンスルホン酸イオンを除去するための除去材である請求項６に記載の陰イオン除去材。
【発明の詳細な説明】
【技術分野】
【０００１】
本発明は、陰イオン交換体に関する。さらに詳しくは、少なくとも１種の金属イオンと、該金属イオンに二座配位可能な特定の有機配位子とを含む金属錯体からなる陰イオン交換体に関する。本発明の陰イオン交換体は、過塩素酸イオン、テトラフルオロホウ酸イオン、ヘキサフルオロリン酸イオン、ヘキサフルオロヒ酸イオン、ヘキサフルオロアンチモン酸イオン、メタンスルホン酸イオン、ベンゼンスルホン酸イオン、トリフルオロ酢酸イオン、トリフルオロメタンスルホン酸イオンなどを除去するための除去材として好ましい。
【背景技術】
【０００２】
これまで、水処理の分野で種々の有害陰イオン除去材が開発されている。最近ではより高い除去活性を有する材料として、特殊な陰イオン交換樹脂が開発されている（例えば、特許文献１参照）。
【０００３】
有害陰イオンの例として、花火やロケットなどの固体燃料、エアバッグのインフレーターなどに利用される過塩素酸イオンが挙げられる。過塩素酸イオンは、成人の代謝機能を司り小児の身体発育を促進する甲状腺に障害を及ぼす物質である。その除去方法としては、過塩素酸イオンにより汚染された廃液を濃縮し、塩化カリウムを加えることにより過塩素酸カリウムを生成させ、冷却して結晶化させる方法が知られている（特許文献２参照）。
【０００４】
他の有害陰イオンの例として、半導体製造工程やメッキ工程等の廃液に含まれるテトラフルオロホウ酸イオンが挙げられる。ホウ素及びフッ素は動物や植物にとって必須微量元素であるが、過剰の摂取は植物の成長阻害、動物の生殖阻害毒性、神経及び消化器系の障害などが懸念される。その除去方法としては、テトラフルオロホウ酸イオンを含む廃水にアルミニウム化合物、塩化第２鉄及び鉄粉を添加し反応させ、該反応物に水酸化カルシウムを添加して中和し、フッ素をカルシウム塩として除去する方法が知られている（特許文献３参照）。
【０００５】
また、過塩素酸イオンやテトラフルオロホウ酸イオンの除去材として、硫酸銅と１，４−ビス（イミダゾール−１−イルメチル）−２，３，５，６−テトラメチルベンゼンとからなる高分子金属錯体が開示されている（特許文献４、特許文献５参照）。該高分子金属錯体は溶液中で過塩素酸イオンやテトラフルオロホウ酸イオンと接触した際に、カプセル型分子へと構造変化し、これらのアニオンを捕捉することにより溶液中から除去することができる。しかし、構造変化の際に、金属錯体中の銅イオンが溶液中に溶出するという問題があり、銅イオンは法令により生活環境項目に係る排水基準において規制の対象となることから、その溶出を抑えた陰イオン除去材が求められていた。また、陰イオンの除去速度においても満足できるものではなく、その性能のさらなる向上が求められていた。
【先行技術文献】
【特許文献】
【０００６】
【特許文献１】特開２００４−３４６２９９号公報
【特許文献２】特表平９−５０４４７２号公報
【特許文献３】特開平７−１６５７７号公報
【特許文献４】ＷＯ２００８／０２９８０４公報
【特許文献５】ＷＯ２００９／１１０４９９公報
【発明の概要】
【発明が解決しようとする課題】
【０００７】
したがって、本発明の目的は、従来よりも陰イオン除去活性が高い除去材として使用でき、陰イオン除去後の溶液の汚染が少ない陰イオン交換体を提供することにある。
【課題を解決するための手段】
【０００８】
本発明者らは鋭意検討し、少なくとも１種の金属イオンと、該金属イオンに二座配位可能な特定の有機配位子とを含む金属錯体からなる陰イオン交換体により、上記目的を達成できることを見出し、本発明に至った。
【０００９】
すなわち、本発明によれば、以下のものが提供される。
（１）周期表の２族及び７〜１２族に属する金属のイオンから選択される少なくとも１種の金属イオンと、該金属イオンに二座配位可能な有機配位子とを、金属イオン：二座配位可能な有機配位子＝１：３の組成比で含み、前記二座配位可能な有機配位子が２つの金属イオンに配位する金属錯体からなる陰イオン交換体。
（２）該二座配位可能な有機配位子が、少なくとも１つの窒素原子を環内に有する複素環基を少なくとも２つ有する含窒素複素環化合物である（１）に記載の陰イオン交換体。
（３）該二座配位可能な有機配位子が、下記一般式（Ｉ）；
【００１０】
【化１】
2014046234.tif 000002
【００１１】
（式中、Ｒ２、Ｒ３及びＲ4の内１つはＲｘに対してメタ位或いはパラ位にあるＲｙであり、Ｒｙを除くＲ１、Ｒ２、Ｒ３、Ｒ４及びＲ５はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子である。Ｒｘ及びＲｙは同一または異なって下記一般式
【００１２】
【化２】
2014046234.tif 000003
【００１３】
で表される置換基であり、Ｒ６及びＲ７はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であり、Ａは下記一般式
【００１４】
【化３】
2014046234.tif 000004
【００１５】
で表されるピリジル基、
【００１６】
【化４】
2014046234.tif 000005
【００１７】
で表されるイミダゾリル基、
【００１８】
【化５】
2014046234.tif 000006
【００１９】
で表されるトリアゾリル基または
【００２０】
【化６】
2014046234.tif 000007
【００２１】
で表されるテトラゾリル基であり、Ｒ８、Ｒ９、Ｒ１０、Ｒ１１、Ｒ１２、Ｒ１３、Ｒ１４、Ｒ１５、Ｒ１６及びＲ１７はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であるか、Ｒ１３とＲ１４が一緒になって置換基を有していてもよいアルカジエニレン基を形成してもよい。）で表される二座配位可能な有機配位子である（１）または（２）に記載の陰イオン交換体。
（４）該二座配位可能な有機配位子が、下記一般式（ＩＩ）；
【００２２】
【化７】
2014046234.tif 000008
【００２３】
（式中、Ｘ、Ｙ及びＺはそれぞれ同一または異なって炭素原子、窒素原子、酸素原子または硫黄原子である。Ｘ、Ｙ及びＺが炭素原子の場合にＲ１８、Ｒ１９、Ｒ２０、Ｒ２１、Ｒ２２及びＲ２３はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子である。Ｘ、Ｙ及びＺが窒素原子の場合にＲ１８、Ｒ２０及びＲ２２は水素原子であり、Ｒ１９、Ｒ２１及びＲ２３は存在しない。Ｘ、Ｙ及びＺが酸素原子または硫黄原子の場合にＲ１８、Ｒ１９、Ｒ２０、Ｒ２１、Ｒ２２及びＲ２３は存在しない。Ａ１及びＡ２は同一または異なって下記一般式
【００２４】
【化８】
2014046234.tif 000009
【００２５】
で表されるピリジル基、
【００２６】
【化９】
2014046234.tif 000010
【００２７】
で表されるイミダゾリル基、
【００２８】
【化１０】
2014046234.tif 000011
【００２９】
で表されるトリアゾリル基または
【００３０】
【化１１】
2014046234.tif 000012
【００３１】
で表されるテトラゾリル基であり、Ｒ２４、Ｒ２５、Ｒ２６、Ｒ２７、Ｒ２８、Ｒ２９、Ｒ３０、Ｒ３１、Ｒ３２及びＲ３３はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であるか、Ｒ２９とＲ３０が一緒になって置換基を有していてもよいアルカジエニレン基を形成してもよい。ｎは０〜２の整数である。）で表される二座配位可能な有機配位子である（１）または（２）に記載の陰イオン交換体。
（５）硝酸イオン、硫酸イオン、フッ化物イオン、塩化物イオン、臭化物イオン、ヨウ化物イオンから選択される少なくとも一種の陰イオンを含む（１）〜（４）のいずれかに記載の陰イオン交換体
（６）（１）〜（５）のいずれかに記載の陰イオン交換体からなる陰イオン除去材。
（７）該陰イオン除去材が、過塩素酸イオン、テトラフルオロホウ酸イオン、ヘキサフルオロリン酸イオン、ヘキサフルオロヒ酸イオン、ヘキサフルオロアンチモン酸イオン、メタンスルホン酸イオン、ベンゼンスルホン酸イオン、トリフルオロ酢酸イオンまたはトリフルオロメタンスルホン酸イオンを除去するための除去材である（５）に記載の陰イオン除去材。
【発明の効果】
【００３２】
本発明により、周期表の２族及び７〜１２族に属する金属のイオンから選択される少なくとも１種の金属イオンと、該金属イオンに二座配位可能な有機配位子とを、金属イオン：二座配位可能な有機配位子＝１：３の組成比で含む金属錯体からなる陰イオン交換体を提供することができる。
【００３３】
本発明の陰イオン交換体は、各種アニオン除去能に優れているので、過塩素酸イオン、テトラフルオロホウ酸イオン、ヘキサフルオロリン酸イオン、ヘキサフルオロヒ酸イオン、ヘキサフルオロアンチモン酸イオン、メタンスルホン酸イオン、ベンゼンスルホン酸イオン、トリフルオロ酢酸イオン、トリフルオロメタンスルホン酸イオンなどを除去するための除去材として使用することができる。
【００３４】
また、本発明の金属錯体は、陰イオン除去に伴う金属錯体中の金属イオンの溶出を抑えることができるため、陰イオン除去後の溶液の汚染が少ない陰イオン除去材として使用することができる。
【図面の簡単な説明】
【００３５】
【図１】合成例１で得た金属錯体の結晶構造である。
【図２】合成例２で得た金属錯体の結晶構造である。
【図３】合成例３で得た金属錯体の結晶構造である。
【図４】比較合成例１で得た金属錯体の結晶構造である。
【図５】実施例１、実施例２、実施例３及び比較例１における過塩素酸イオン濃度の経時変化である。
【図６】実施例４、実施例５、実施例６及び比較例２におけるテトラフルオロホウ酸イオン濃度の経時変化である。
【図７】合成例１で得た金属錯体を添加する前と添加した１８０分後の各種陰イオン濃度の比較である。
【図８】合成例１で得た金属錯体を添加する前と添加した１８０分後の各種陰イオン濃度の比較である。
【図９】合成例１で得た金属錯体を添加する前と添加した１８０分後の各種陰イオン濃度の比較である。
【発明を実施するための形態】
【００３６】
本発明の陰イオン交換体は、周期表の２族及び７〜１２族に属する金属のイオンから選択される少なくとも１種の金属イオンと、少なくとも１つの窒素原子を有する複素環基を少なくとも２つ有し、該金属イオンに二座配位可能な有機配位子とを、金属イオン：二座配位可能な有機配位子＝１：３の組成比で含む金属錯体からなる。金属イオンに対し、同一の二座配位可能な有機配位子が配位することが望ましいが、２種以上の二座配位可能な有機配位子が金属イオンに配位してもよい。
【００３７】
本発明に用いられる周期表の２族及び７〜１２族に属する金属のイオンとしては、例えば、マグネシウムイオン、カルシウムイオン、マンガンイオン、鉄イオン、ルテニウムイオン、コバルトイオン、ロジウムイオン、ニッケルイオン、パラジウムイオン、銅イオン、亜鉛イオン、カドミウムイオンなどを使用することができ、中でもマンガンイオン、鉄イオン、コバルトイオン、ニッケルイオン、銅イオンが好ましい。金属イオンは、単一の金属イオンを使用することが好ましいが、２種以上の金属イオンを混合して用いてもよい。また、本発明の金属錯体は、単一の金属イオンからなる金属錯体を２種以上混合して使用することもできる。
【００３８】
該金属イオンは金属塩の形で用いてもよい。金属塩としては、例えば、マグネシウム塩、カルシウム塩、マンガン塩、鉄塩、ルテニウム塩、コバルト塩、ロジウム塩、ニッケル塩、パラジウム塩、銅塩、亜鉛塩、カドミウム塩などを使用することができ、中でもマンガン塩、鉄塩、コバルト塩、ニッケル塩、銅塩が好ましい。金属塩は、単一の金属塩を使用することが好ましいが、２種以上の金属塩を混合して用いてもよい。また、これらの金属塩としては、酢酸塩、ギ酸塩などの有機酸塩、硫酸塩、硝酸塩、炭酸塩、フッ酸塩、塩酸塩、臭化水素酸塩、ヨウ化水素酸塩などの無機酸塩を使用することができる。
【００３９】
本発明に用いられる二座配位可能な有機配位子とは、非共有電子対で金属イオンに対して配位する部位を少なくとも２箇所有する中性配位子を意味する。
【００４０】
本発明の金属錯体において、二座配位可能な有機配位子は別個の（隣接する）２つの金属イオンに配位する。従って、単核錯体は本発明の金属錯体には含まれない。具体的には、エチレンジアミン、２，２’−ビピリジル、１，１０−フェナントロリンなど、一つの金属イオンに対してシス型で二座配位して単核錯体を形成する有機配位子は、本発明の「二座配位可能な有機配位子」には含まれない。
【００４１】
本発明の二座配位可能な有機配位子を用いた場合、この有機配位子は２つの金属イオンに配位するので、得られる金属錯体は三次元集積構造を形成し、所望の性能を発現する。
【００４２】
本発明に用いられる二座配位可能な有機配位子は、前記金属イオンに配位できる窒素原子を環内に少なくとも１つ有する複素環基を少なくとも２つ有する含窒素複素環化合物が好ましい。該含窒素複素環基としては、５員または６員の含窒素複素環基が好ましく、中でも、ピリジル基、イミダゾリル基、トリアゾリル基またはテトラゾリル基が特に好ましい。また、該含窒素複素環基はその環に結合する置換基を有していてもよい。
【００４３】
本発明に用いられる二座配位可能な有機配位子の好ましい一例として、下記一般式（Ｉ）；
【００４４】
【化１２】
2014046234.tif 000013
【００４５】
で表される化合物が挙げられる（以下、二座配位可能な有機配位子（Ｉ）と称することがある）。式中、Ｒ２、Ｒ３及びＲ4の内１つはＲｘに対してメタ位或いはパラ位にあるＲｙであり、Ｒｙを除くＲ１、Ｒ２、Ｒ３、Ｒ４及びＲ５はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子である。Ｒｘ及びＲｙは同一または異なって下記一般式
【００４６】
【化１３】
2014046234.tif 000014
【００４７】
で表される置換基であり、Ｒ６及びＲ７はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であり、Ａは下記一般式
【００４８】
【化１４】
2014046234.tif 000015
【００４９】
で表されるピリジル基、
【００５０】
【化１５】
2014046234.tif 000016
【００５１】
で表されるイミダゾリル基、
【００５２】
【化１６】
2014046234.tif 000017
【００５３】
で表されるトリアゾリル基または
【００５４】
【化１７】
2014046234.tif 000018
【００５５】
で表されるテトラゾリル基であり、Ｒ８、Ｒ９、Ｒ１０、Ｒ１１、Ｒ１２、Ｒ１３、Ｒ１４、Ｒ１５、Ｒ１６及びＲ１７はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であるか、Ｒ１３とＲ１４が一緒になって置換基を有していてもよいアルカジエニレン基を形成してもよい。
【００５６】
上記Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６及びＲ１７を構成することのできる置換基の内、アルキル基またはアルコキシ基の炭素原子数は１〜５が好ましい。アルキル基の例としては、メチル基、エチル基、ｎ−プロピル基、イソプロピル基、ｎ−ブチル基、イソブチル基、ｔｅｒｔ−ブチル基、ペンチル基などの直鎖または分岐を有するアルキル基が、アルコキシ基の例としては、メトキシ基、エトキシ基、ｎ−プロポキシ基、イソプロポキシ基，ｎ−ブトキシ基、イソブトキシ基、ｔｅｒｔ−ブトキシ基が、アシロキシ基の例としては、アセトキシ基、ｎ−プロパノイルオキシ基、ｎ−ブタノイルオキシ基、ピバロイルオキシ基、ベンゾイルオキシ基が、アルコキシカルボニル基の例としては、メトキシカルボニル基、エトキシカルボニル基、ｎ−ブトキシカルボニル基が、モノアルキルアミノ基の例としては、メチルアミノ基が、ジアルキルアミノ基の例としては、ジメチルアミノ基が、アシルアミノ基の例としては、アセチルアミノ基が、ハロゲン原子の例としては、フッ素原子、塩素原子、臭素原子、ヨウ素原子が、それぞれ挙げられる。また、該アルキル基等が有していてもよい置換基の例としては、アルコキシ基（メトキシ基、エトキシ基、ｎ−プロポキシ基、イソプロポキシ基，ｎ−ブトキシ基、イソブトキシ基、ｔｅｒｔ−ブトキシ基など）、ジアルキルアミノ基（ジメチルアミノ基など）、ホルミル基、シアノ基、エポキシ基、アシロキシ基（アセトキシ基、ｎ−プロパノイルオキシ基、ｎ−ブタノイルオキシ基、ピバロイルオキシ基、ベンゾイルオキシ基など）、アルコキシカルボニル基（メトキシカルボニル基、エトキシカルボニル基、ｎ−ブトキシカルボニル基など）、カルボン酸無水物基（−ＣＯ−Ｏ−ＣＯ−Ｒ基）（Ｒは炭素数１〜５のアルキル基である）などが挙げられる。アルキル基の置換基の数は、１〜３個が好ましく、１個がより好ましい。
【００５７】
上記アルカジエニレン基の炭素数は、４が好ましい。アルカジエニレン基の炭素数が４の場合、Ｒ１３とＲ１４はそれらが結合している炭素原子と一緒になって６員環（ベンゼン環）を構成する。このようなイミダゾリル基の例としては、ベンゾイミダゾリル基が挙げられる。
【００５８】
また、該アルカジエニレン基が有していてもよい置換基の例としては、アルコキシ基（メトキシ基、エトキシ基、ｎ−プロポキシ基、イソプロポキシ基，ｎ−ブトキシ基、イソブトキシ基、ｔｅｒｔ−ブトキシ基など）、アミノ基、モノアルキルアミノ基（メチルアミノ基など）、ジアルキルアミノ基（ジメチルアミノ基など）、ホルミル基、エポキシ基、アシロキシ基（アセトキシ基、ｎ−プロパノイルオキシ基、ｎ−ブタノイルオキシ基、ピバロイルオキシ基、ベンゾイルオキシ基など）、アルコキシカルボニル基（メトキシカルボニル基、エトキシカルボニル基、ｎ−ブトキシカルボニル基など）、カルボン酸無水物基（−ＣＯ−Ｏ−ＣＯ−Ｒ基）（Ｒは炭素数１〜５のアルキル基である）などが挙げられる。
【００５９】
二座配位可能な有機配位子（Ｉ）は、１個又は複数個の不斉炭素を有し得る。本発明で使用する二座配位可能な有機配位子（Ｉ）は、光学異性体、ラセミ体またはいずれかの光学異性体が多い異性体混合物、ジアステレオ異性体など任意の異性体のいずれを使用してもよいが、Ｒ６及びＲ７が同一であれば不斉炭素ではなくなるので好ましい。
【００６０】
本発明の二座配位可能な有機配位子（Ｉ）の好ましい化合物は、下記式（ＩＡ）、（ＩＢ）で表される：
【００６１】
【化１８】
2014046234.tif 000019
【００６２】
（式中、Ａは、前記に定義される通りである。）。
【００６３】
二座配位可能な有機配位子（Ｉ）としては、例えば、下記化学式で示される１，４−ビス（ベンゾイミダゾール−１−イルメチル）−２，４，５，６−テトラメチルベンゼン（Ｉ−１）、１，４−ビス（４−ピリジルメチル）−２，３，５，６−テトラメチルベンゼン（Ｉ−２）、１，３−ビス（イミダゾール−１−イルメチル）−２，４，６−トリメチルベンゼン（Ｉ−３）、１，３−ビス（４−ピリジルメチル）−２，４，６−トリメチルベンゼン（Ｉ−４）などを使用することができ、中でも１，３−ビス（イミダゾール−１−イルメチル）−２，４，６−トリメチルベンゼン（Ｉ−３）が好ましい。
【００６４】
【化１９】
2014046234.tif 000020
【００６５】
【化２０】
2014046234.tif 000021
【００６６】
【化２１】
2014046234.tif 000022
【００６７】
【化２２】
2014046234.tif 000023
【００６８】
また、本発明に用いられる二座配位可能な有機配位子の好ましい一例として、下記一般式（ＩＩ）；
【００６９】
【化２３】
2014046234.tif 000024
【００７０】
で表される化合物が挙げられる（以下、二座配位可能な有機配位子（ＩＩ）と称することがある）。式中、Ｘ、Ｙ及びＺはそれぞれ同一または異なって炭素原子、窒素原子、酸素原子または硫黄原子である。Ｘ、Ｙ及びＺが炭素原子の場合にＲ１８、Ｒ１９、Ｒ２０、Ｒ２１、Ｒ２２及びＲ２３（Ｘ、Ｙ及びＺの各々に対し、Ｒ１８並びにＲ１９、Ｒ２０並びにＲ２１及びＲ２２並びにＲ２３の各々が対応）はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子である。Ｘ、Ｙ及びＺが窒素原子の場合にＲ１８、Ｒ２０及びＲ２２はそれぞれ水素原子であり、Ｒ１９、Ｒ２１及びＲ２３はそれぞれ存在しない。Ｘ、Ｙ及びＺが酸素原子または硫黄原子の場合にＲ１８、Ｒ１９、Ｒ２０、Ｒ２１、Ｒ２２及びＲ２３（Ｘ、Ｙ及びＺの各々に対し、Ｒ１８並びにＲ１９、Ｒ２０並びにＲ２１及びＲ２２並びにＲ２３の各々が対応）は存在しない。なお、「Ｘ、Ｙ及びＺが炭素原子の場合」、「Ｘ、Ｙ及びＺが窒素原子の場合」及び「Ｘ、Ｙ及びＺが酸素原子または硫黄原子の場合」とは、Ｘ、Ｙ及びＺのいずれもが係る同じ原子である場合のみを指すわけではなく、Ｘ、Ｙ及びＺの少なくともいずれかが係る原子であることを指す。Ａ１及びＡ２は同一または異なって下記一般式
【００７１】
【化２４】
2014046234.tif 000025
【００７２】
で表されるピリジル基、
【００７３】
【化２５】
2014046234.tif 000026
【００７４】
で表されるイミダゾリル基、
【００７５】
【化２６】
2014046234.tif 000027
【００７６】
で表されるトリアゾリル基または
【００７７】
【化２７】
2014046234.tif 000028
【００７８】
であり、Ｒ２４、Ｒ２５、Ｒ２６、Ｒ２７、Ｒ２８、Ｒ２９、Ｒ３０、Ｒ３１、Ｒ３２及びＲ３３はそれぞれ同一または異なって水素原子、置換基を有していてもよいアルキル基、アルコキシ基、ホルミル基、アシロキシ基、アルコキシカルボニル基、ニトロ基、シアノ基、アミノ基、モノアルキルアミノ基、ジアルキルアミノ基、アシルアミノ基またはハロゲン原子であるか、Ｒ２８とＲ２９が一緒になって置換基を有していてもよいアルカジエニレン基を形成してもよい。ｎは０〜２の整数である。
【００７９】
上記Ｒ１８、Ｒ１９、Ｒ２０、Ｒ２１、Ｒ２２、Ｒ２３、Ｒ２４、Ｒ２５、Ｒ２６、Ｒ２７、Ｒ２８、Ｒ２９、Ｒ３０、Ｒ３１、Ｒ３２及びＲ３３を構成することのできる好ましい置換基の例としては、上記Ｒ１〜Ｒ１７で例示した置換基と同様のものが挙げられる。
【００８０】
上記アルカジエニレン基の炭素数は、４が好ましい。アルカジエニレン基の炭素数が４の場合、Ｒ２９とＲ３０はそれらが結合している炭素原子と一緒になって６員環（ベンゼン環）を構成する。このようなイミダゾリル基の例としては、ベンゾイミダゾリル基が挙げられる。該アルカジエニレン基が有していてもよい置換基の例としては、上記Ｒ１３とＲ１４が形成するアルカジエニレン基が有していてもよい置換基として例示したものと同様のものが挙げられる。
【００８１】
二座配位可能な有機配位子（ＩＩ）は、１個又は複数個の不斉炭素を有し得る。本発明で使用する二座配位可能な有機配位子（ＩＩ）は、光学異性体、ラセミ体またはいずれかの光学異性体が多い異性体混合物、ジアステレオ異性体など任意の異性体のいずれを使用してもよいが、Ｒ１８、Ｒ１９、Ｒ２０、Ｒ２１、Ｒ２２及びＲ２３が同一であれば不斉炭素ではなくなるので好ましい。
【００８２】
ｎが３以上の場合、二座配位可能な有機配位子（ＩＩ）は配位子の長さが長くなるため、１つの金属イオンに対してキレート配位可能となる場合がある。この場合、得られる金属錯体は三次元集積構造を形成できず、所望の性能を発現しない。
【００８３】
二座配位可能な有機配位子（ＩＩ）としては、例えば、１，２−ビス（４−ピリジル）エタン、１，２−ビス（１−イミダゾリル）エタン、１，２−ビス（１，２，４−トリアゾリル）エタン、１，２−ビス（１，２，３，４−テトラゾリル）エタン、１，３−ビス（４−ピリジル）プロパン、１，３−ビス（１−イミダゾリル）プロパン、１，３−ビス（１，２，４−トリアゾリル）プロパン、１，３−ビス（１，２，３，４−テトラゾリル）プロパン、１，４−ビス（４−ピリジル）ブタン、１，４−ビス（１−イミダゾリル）ブタン、１，４−ビス（１，２，４−トリアゾリル）ブタン、１，４−ビス（１，２，３，４−テトラゾリル）ブタンなどを使用することができ、中でも１，２−ビス（１−イミダゾリル）エタン、１，２−ビス（１，２，４−トリアゾリル）エタン、１，２−ビス（１，２，３，４−テトラゾリル）エタンが好ましい。
【００８４】
本発明の陰イオン交換体を構成する金属錯体は、除去対象である有害陰イオンと交換可能な陰イオンを錯体中に有する。該陰イオンとしては、特に限定されるものではないが、硝酸イオン、硫酸イオン、炭酸イオン、炭酸水素イオン、フッ化物イオン、塩化物イオン、臭化物イオン及びヨウ化物イオンから選択される少なくとも一種の陰イオンであることが好ましい。
【００８５】
上記陰イオンは、金属塩のカウンターアニオンをそのまま使用してもよく、他のカウンターアニオンを有する金属錯体を前記陰イオンのアルカリ金属塩と反応させて、前記陰イオンを有する金属錯体に変換して使用しても良い。
【００８６】
本発明の陰イオン交換体を構成する金属錯体は、周期表の２族及び７〜１２族に属する金属イオンの塩から選択される少なくとも１種の金属塩と、該金属イオンに二座配位可能な有機配位子とを、気相、液相または固相のいずれかで反応させることで製造することができるが、常圧下、溶媒中で数時間から数日間反応させ、析出させて製造することが好ましい。例えば、金属塩の水溶液または有機溶媒溶液と、二座配位可能な有機配位子を含有する水溶液または有機溶媒溶液とを、常圧下で混合して反応させることにより本発明の金属錯体を得ることができる。
【００８７】
金属錯体を製造するときの金属塩と二座配位可能な有機配位子の混合比率は、１：５〜５：１のモル比の範囲内が好ましく、１：３〜３：１のモル比の範囲がより好ましい。これ以外の範囲で反応を行っても目的とする金属錯体は得られるが、収率が低下し、また、未反応の原料が残留し、得られた金属錯体の精製が困難になる。
【００８８】
金属錯体を製造するための溶媒における二座配位可能な有機配位子の濃度は、０．０１〜５．０ｍｏｌ／Ｌが好ましく、０．０１〜２．０ｍｏｌ／Ｌがより好ましい。これより低い濃度では、反応を行っても目的とする金属錯体は得られるが、収率が低下するため好ましくない。また、これより高い濃度では溶解性が低下し、反応が円滑に進行しない。
【００８９】
金属錯体の製造に用いる溶媒としては、有機溶媒、水またはそれらの混合溶媒を使用することができる。具体的には、メタノール、エタノール、プロパノール、ジエチルエーテル、ジメトキシエタン、テトラヒドロフラン、ヘキサン、シクロヘキサン、ヘプタン、ベンゼン、トルエン、塩化メチレン、クロロホルム、アセトン、酢酸エチル、アセトニトリル、Ｎ，Ｎ−ジメチルホルムアミド、ジメチルスルホキシド、アンモニア水、水またはこれらの混合溶媒を使用することができる。反応温度としては、２５３〜４２３Ｋが好ましい。
【００９０】
反応が終了したことは、ガスクロマトグラフィーまたは高速液体クロマトグラフィーにより原料の残存量を定量することにより確認することができる。反応終了後、得られた混合液を吸引濾過に付して沈殿物を集め、有機溶媒、水またはそれらの混合溶媒による洗浄後、空気中で風乾または減圧下で乾燥することにより本発明の金属錯体を得ることができる。
【００９１】
本発明の陰イオン交換体は、該陰イオン交換体を構成する金属錯体が、溶液中で有害な陰イオンと接触した際に、陰イオン交換反応を経ることで、陰イオン除去材として機能する。例えば、過塩素酸イオンを含む溶液中に本発明のイオン交換体を浸漬させた場合、過塩素酸イオンを取り込み、代わりに金属錯体を構成する陰イオンを溶液中に放出する。過塩素酸イオンを取り込んだ金属錯体は不溶性であるため、例えば濾過などの処理を施すことで過塩素酸イオンを除去することができる。他の有害陰イオンを取り込んだ金属錯体も、同様に濾過などの処理を施すことで有害陰イオンを除去することができる。
【００９２】
本発明の陰イオン交換体を構成する金属錯体は、金属イオン１つに対し二座配位可能な有機配位子が３つ配位した錯体であり、陰イオンは金属イオンの電荷を中和するのに必要な量だけ存在する。具体的には、金属イオンが二価の金属イオン、かつ陰イオンが２価のイオンの場合、本発明の金属錯体は金属イオン：２価の陰イオン：二座配位可能な有機配位子＝１：１：３の組成を有する。また、陰イオンが１価のイオンの場合、金属イオン：１価の陰イオン：二座配位可能な有機配位子＝１：２：３の組成を有する。このように、金属イオンと二座配位可能な有機配位子との組成比が１：３である場合にのみ三次元骨格は金属イオンと二座配位可能な有機配位子のみで構築され、陰イオンは該金属イオンに対しては配位しない。その結果、金属イオンと陰イオンの相互作用は弱くなり、高い陰イオン交換能、すなわち陰イオン除去性能が発現する。
【００９３】
前記の陰イオン除去メカニズムは推定であるが、例え前記メカニズムに従っていない場合でも、本発明を規定する要件を満足するのであれば、本発明の技術的範囲に包含される。
【００９４】
本発明の金属錯体は、各種陰イオンの除去能に優れているので、過塩素酸イオン、テトラフルオロホウ酸イオン、ヘキサフルオロリン酸イオン、ヘキサフルオロヒ酸イオン、ヘキサフルオロアンチモン酸イオン、メタンスルホン酸イオン、ベンゼンスルホン酸イオン、トリフルオロ酢酸イオン、トリフルオロメタンスルホン酸イオンなどの除去材として好ましい。
【００９５】
本発明における陰イオン交換体の使用形態は特に限定されない。例えば、金属錯体を粉末のまま用いてもよいし、ペレット、フィルム、シート、プレート、パイプ、チューブ、棒状体、粒状体、各種異形成形体、繊維、中空糸、織布、編布及び不織布などに成形して用いてもよい。
【実施例】
【００９６】
以下、本発明を実施例によって具体的に説明するが、本発明はこれらに限定されるものではない。以下の実施例、比較例における分析及び評価は次のようにして行った。
【００９７】
（１）単結晶Ｘ線構造解析
得られた単結晶をゴニオヘッドにマウントし、単結晶Ｘ線回折装置を用いて測定した。分析条件の詳細を以下に示す。
＜分析条件＞
装置：株式会社リガク製Ｍｅｒｃｕｒｙ  ＣＣＤ  ｓｙｓｔｅｍ
Ｘ線源：ＭｏＫα（λ＝０．７１０７３Å）  ５０ｋＶ  ４０ｍＡ
検出器：ＣＣＤ
コリメータ：Φ０．５０ｍｍ
測定温度：２９３Ｋ
解析ソフト：ＳＨＥＬＸＬ９７
【００９８】
（２）陰イオンの定量
陰イオンを含む溶液２００μＬを採取し、超純水で２５倍に希釈し、陰イオンクロマトグラフを用いて測定した。
＜分析条件＞
装置：メトローム社製８６１  Ａｄｖａｎｃｅｄ  Ｃｏｍｐａｃｔ  ＩＣ
【００９９】
＜合成例１＞
硝酸コバルト六水和物１５．０ｍｇ（０．０５２ｍｍｏｌ）を水３０ｍＬに溶解させ、これに１，３−ビス（イミダゾール−１−イルメチル）−２，４，６−トリメチルベンゼン２８．０ｍｇ（０．１０ｍｍｏｌ）を溶解させたメタノール３０ｍＬを加え、２９８Ｋで３日間静置した。析出した薄桃色の金属錯体を吸引濾過により回収した後、メタノールで洗浄し、目的の金属錯体７８．６ｍｇ（収率２５％）を得た。得られた金属錯体について単結晶Ｘ線構造解析を行った結果を以下に示す。また、結晶構造を図１に示す。図１より、得られた金属錯体の組成は、コバルトイオン：硝酸イオン：１，３−ビス（イミダゾール−１−イルメチル）−２，４，６−トリメチルベンゼン＝１：１：３であることが分かる。
Ｍｏｎｏｃｌｉｎｉｃ（Ｃ２／ｃ）
ａ＝２６．３３０（１８）Å
ｂ＝２０．４０６（１３）Å
ｃ＝１４．２７３（１０）Å
α＝９０．００００°
β＝１１８．１４６（９）°
γ＝９０．００００°
Ｖ＝６７６２（８）Å３
Ｚ＝４
Ｒ＝０．０９５８
ｗＲ＝０．２１０２
【０１００】
＜合成例２＞
硫酸コバルト六水和物１６９ｍｇ（０．６０ｍｍｏｌ）を水１０ｍＬに溶解させ、これに１，３−ビス（イミダゾール−１−イルメチル）−２，４，６−トリメチルベンゼン５０５ｍｇ（１．８ｍｍｏｌ）を溶解させたメタノール１０ｍＬを加え、２９８Ｋで３日間静置した。析出した桃色の金属錯体を吸引濾過により回収した後、メタノールで洗浄し、目的の金属錯体２５８ｍｇ（収率４２％）を得た。得られた金属錯体について単結晶Ｘ線構造解析を行った結果を以下に示す。また、結晶構造を図２に示す。図２より、得られた金属錯体の組成は、コバルトイオン：硫酸イオン：１，３−ビス（イミダゾール−１−イルメチル）−２，４，６−トリメチルベンゼン＝１：１：３であることが分かる。
Ｍｏｎｏｃｌｉｎｉｃ（Ｃ２／ｃ）
ａ＝２６．３５６（１１）Å
ｂ＝２０．４１８（８）Å
ｃ＝１４．３１９（６）Å
α＝９０．００００°
β＝１１８．１７４（６）°
α＝９０．００００°
Ｖ＝６７９２（５）Å３
Ｚ＝４
Ｒ＝０．０８４２
ｗＲ＝０．１７０６
【０１０１】
＜合成例３＞
塩化コバルト六水和物３６．０ｍｇ（０．１５ｍｍｏｌ）を水１０ｍＬに溶解させ、これに１，３−ビス（イミダゾール−１−イルメチル）−２，４，６−トリメチルベンゼン８４．０ｍｇ（０．３０ｍｍｏｌ）を溶解させたメタノール１０ｍＬを加え、２９８Ｋで３日間静置した。析出した薄桃色の金属錯体を吸引濾過により回収した後、メタノールで洗浄し、目的の金属錯体４９．０ｍｇ（収率５０％）を得た。得られた金属錯体について単結晶Ｘ線構造解析を行った結果を以下に示す。また、結晶構造を図３に示す。図３より、得られた金属錯体の組成は、コバルトイオン：塩化物イオン：１，３−ビス（イミダゾール−１−イルメチル）−２，４，６−トリメチルベンゼン＝１：２：３であることが分かる。
Ｔｒｉｇｏｎａｌ（Ｒ−３（ｈ））
ａ＝１６．８８６（９）Å
ｂ＝１６．８８６（９）Å
ｃ＝４２．２５（３）Å
α＝９０．００００°
β＝９０．００００°
γ＝１２０．００００°
Ｖ＝１０４３２（１０）Å３
Ｚ＝６
Ｒ＝０．０９７５
ｗＲ＝０．２０８９
【０１０２】
＜比較合成例１＞
硫酸銅５水和物３１．２ｍｇ（０．１３ｍｍｏｌ）を水２５ｍＬに、１，４−ビス（イミダゾール−１−イルメチル）−２，３，５，６−テトラメチルベンゼン７３．６ｍｇ（０．２５ｍｍｏｌ）をＮ，Ｎ−ジメチルホルムアミド２５ｍＬに、それぞれ溶解させ、これらの溶液を混合し７日間、２９８Ｋで静置することで金属錯体８９ｍｇ（収率８５％）を青色の板状結晶として得た。得られた金属錯体について単結晶Ｘ線構造解析を行った結果を以下に示す。また、結晶構造を図４に示す。図４より、得られた金属錯体の組成は、銅イオン：硫酸イオン：１，４−ビス（イミダゾール−１−イルメチル）−２，３，５，６−テトラメチルベンゼン＝１：１：２であることが分かる。
Ｍｏｎｏｃｌｉｎｉｃ（Ｃ２／ｍ）
ａ＝１２．３５０７（１７）Å
ｂ＝２７．２６３（３）Å
ｃ＝１４．３７７（３）Å
β＝１１８．７７４°
Ｖ＝４２４３．４（１０）Å３
Ｚ＝２
Ｒ＝０．０６４４
ｗＲ＝０．０７２２
【０１０３】
＜実施例１＞
１ｍＭ過塩素酸ナトリウム水溶液１００ｍＬに合成例１で得た金属錯体５２．１ｍｇ（コバルトイオンを０．０５０ｍｍｏｌ含有）を加え、３０３Ｋにおける過塩素酸イオン濃度の経時変化を陰イオンクロマトグラフで追跡した。結果を図５に示す。
【０１０４】
＜実施例２＞
１ｍＭ過塩素酸ナトリウム水溶液１００ｍＬに合成例２で得た金属錯体５１．６ｍｇ（コバルトイオンを０．０５０ｍｍｏｌ含有）を加え、３０３Ｋにおける過塩素酸イオン濃度の経時変化を陰イオンクロマトグラフで追跡した。結果を図５に示す。
【０１０５】
＜実施例３＞
１ｍＭ過塩素酸ナトリウム水溶液１００ｍＬに合成例３で得た金属錯体４８．５ｍｇ（コバルトイオンを０．０５０ｍｍｏｌ含有）を加え、３０３Ｋにおける過塩素酸イオン濃度の経時変化を陰イオンクロマトグラフで追跡した。結果を図５に示す。
【０１０６】
＜比較例１＞
１ｍＭ過塩素酸ナトリウム水溶液１００ｍＬに比較合成例１で得た金属錯体３８．３ｍｇ（銅イオンを０．０５０ｍｍｏｌ含有）を加え、３０３Ｋにおける過塩素酸イオン濃度の経時変化を陰イオンクロマトグラフで追跡した。結果を図５に示す。
【０１０７】
図５より、本発明の構成要件を満たす合成例１、合成例２及び合成例３で得た金属錯体は、本発明の構成要件を満たさない比較合成例１で得た金属錯体に比べ、過塩素酸イオンを速やかに除去することができ、かつ金属イオンあたりの除去量も多いことから、過塩素酸イオンの除去材として優れていることは明らかである。
【０１０８】
＜実施例４＞
１ｍＭテトラフルオロホウ酸ナトリウム水溶液１００ｍＬに合成例１で得た金属錯体５２．１ｍｇ（コバルトイオンを０．０５０ｍｍｏｌ含有）を加え、３０３Ｋにおける過塩素酸イオン濃度の経時変化を陰イオンクロマトグラフで追跡した。結果を図６に示す。
【０１０９】
＜実施例５＞
１ｍＭテトラフルオロホウ酸ナトリウム水溶液１００ｍＬに合成例２で得た金属錯体５１．６ｍｇ（コバルトイオンを０．０５０ｍｍｏｌ含有）を加え、３０３Ｋにおける過塩素酸イオン濃度の経時変化を陰イオンクロマトグラフで追跡した。結果を図６に示す。
【０１１０】
＜実施例６＞
１ｍＭテトラフルオロホウ酸ナトリウム水溶液１００ｍＬに合成例３で得た金属錯体４８．５ｍｇ（コバルトイオンを０．０５０ｍｍｏｌ含有）を加え、３０３Ｋにおける過塩素酸イオン濃度の経時変化を陰イオンクロマトグラフで追跡した。結果を図６に示す。
【０１１１】
＜比較例２＞
１ｍＭテトラフルオロホウ酸ナトリウム水溶液１００ｍＬに比較合成例１で得た金属錯体３８．３ｍｇ（銅イオンを０．０５０ｍｍｏｌ含有）を加え、３０３Ｋにおける過塩素酸イオン濃度の経時変化を陰イオンクロマトグラフで追跡した。結果を図６に示す。
【０１１２】
図６より、本発明の構成要件を満たす合成例１、合成例２及び合成例３で得た金属錯体は、本発明の構成要件を満たさない比較合成例１で得た金属錯体に比べ、テトラフルオロホウ酸イオンを速やかに除去することができ、かつ金属イオンあたりの除去量も多いことから、テトラフルオロホウ酸イオンの除去材として優れていることは明らかである。
【０１１３】
＜実施例７＞
過塩素酸ナトリウム、塩化ナトリウム、硝酸ナトリウム及び硫酸ナトリウムをそれぞれ１ｍＭずつ含む水溶液１００ｍＬに合成例１で得た金属錯体５２．１ｍｇ（コバルトイオンを０．０５０ｍｍｏｌ含有）を加え、３０３Ｋにおける過塩素酸イオン濃度の経時変化を陰イオンクロマトグラフで追跡した。結果を図７に示す。
【０１１４】
＜実施例８＞
１ｍＭ過塩素酸ナトリウム水溶液１００ｍＬに合成例２で得た金属錯体５１．６ｍｇ（コバルトイオンを０．０５０ｍｍｏｌ含有）を加え、３０３Ｋにおける過塩素酸イオン濃度の経時変化を陰イオンクロマトグラフで追跡した。結果を図８に示す。
【０１１５】
＜実施例９＞
１ｍＭ過塩素酸ナトリウム水溶液１００ｍＬに合成例３で得た金属錯体４８．５ｍｇ（コバルトイオンを０．０５０ｍｍｏｌ含有）を加え、３０３Ｋにおける過塩素酸イオン濃度の経時変化を陰イオンクロマトグラフで追跡した。結果を図９に示す。
【０１１６】
図７、図８及び図９より、本発明の構成要件を満たす合成例１、合成例２及び合成例３で得た金属錯体は、過塩素酸イオンを選択的に除去することができることから、過塩素酸イオンの除去材として優れていることは明らかである。
【０１１７】
実施例１〜９及び比較例１、２の結果より、本発明の構成要件を満たす合成例１〜３で得た金属錯体は、本発明の構成要件を満たさない比較合成例１で得た金属錯体に比べ、各種陰イオンの除去材として優れていることは明らかである。このような差が生じる理由は必ずしも定かではないが、本発明の金属錯体を構成する周期表の２族及び７〜１２族に属する金属のイオンから選択される少なくとも１種の金属イオンと、１つの金属イオンに対してキレート配位し得ない構造を有する該金属イオンに二座配位可能な有機配位子と比率が最適であり、金属イオンと陰イオンとの相互作用が適度に制御されているため、優れた陰イオン除去性能を発現するためであると考えられる。
【図１】
2014046234.tif 000040
【図２】
2014046234.tif 000041
【図３】
2014046234.tif 000042
【図４】
2014046234.tif 000043
【図５】
2014046234.tif 000044
【図６】
2014046234.tif 000045
【図７】
2014046234.tif 000046
【図８】
2014046234.tif 000047
【図９】
2014046234.tif 000048